(57)【要約】      （修正有）【課題】コンテナー内で物品が移動しても錠前動作の制限や破損が生じないようにシリンダー錠の施錠機構を堅牢に構成し、施錠表示窓から雨滴や塵埃が入り込むことを確実に防止するシリンダー錠付きコンテナーを提供する。【解決手段】コンテナー本体２と蓋体３からなるシリンダー錠付きコンテナー１を、シリンダー錠４の蓋体３の裏面側へ突出した施錠機構の下側及び周辺部を防護壁として機能するカバー体１０で囲い、蓋体３に形成された施錠表示窓３ａは透明なカバー材１３で塞いで構成する。【選択図】図１
0003202135.tif 000002
【実用新案登録請求の範囲】
【請求項１】
コンテナー本体の開口部に蓋体を被せた状態で蓋体に設けられたシリンダー錠のシャフトを回転操作し、シャフトの軸部に取付けられた係止舌片をコンテナー本体の開口縁部に設けられた係止片の下側へ位置させることにより施錠して、前記開口部を閉鎖する位置に蓋体を固定するシリンダー錠付きコンテナーにおいて、
シリンダー錠の蓋体の裏面側へ突出した施錠機構の下側が、カバー体で覆われた構成を有することを特徴とするシリンダー錠付きコンテナー。
【請求項２】
係止舌片の可動領域を除いた施錠機構の周辺部がカバー体で囲われた構成を有することを特徴とする請求項１に記載のシリンダー錠付きコンテナー。
【請求項３】
係止舌片の上面に着色表示部が設けられ、施錠位置で前記着色表示部が面する蓋体の部分に施錠表示窓が設けられているとともに、この施錠表示窓が透明なカバー材で塞がれた構成を有することを特徴とする請求項１又は２に記載のシリンダー錠付きコンテナー。
【考案の詳細な説明】
【技術分野】
【０００１】
本考案は、上部が開口したコンテナー本体と前記開口部を閉鎖する蓋体からなるコンテナーであって、コンテナー本体と蓋体に設けられた施錠機構によってコンテナー本体に被せた蓋体が開口部を閉鎖する位置に固定されるように構成されたシリンダー錠付きコンテナーに関する。
【背景技術】
【０００２】
図８は従来のシリンダー錠付コンテナーの一例を示している。このコンテナー１００は、上部が開口した箱状のコンテナー本体１０１と、一側がコンテナー本体１０１の側部上端に回転自在にヒンジ接続していてコンテナー本体１０１の上端に載せて開口部を閉鎖する蓋体１０２からなり、コンテナー本体１０１内に物品を収納した後、蓋体１０２をコンテナー本体１０１に被せて開口部を閉鎖し、緊締金具１０３で蓋体１０２をコンテナー本体１０１に掛止するとともに、蓋体１０２の縁部に設けられたシリンダー錠１０４を施錠して蓋体１０２を固定した状態で輸送や保管に供されるように設けてある。
【０００３】
詳しくは、図９に示されるように、シリンダー錠１０４は、円形キー（図示せず）が挿入されるキー孔１０５ａを頂部に有し、内部にシャフト１０６を下向きに突設させたシリンダー１０５を、その外周面に蓋体１０２の裏面側から装着した座板１０７を嵌め込んで蓋体１０２に一体に取付けてある。
シャフト１０６の下端部にはシャフト軸部１０８が設けられ、このシャフト軸部１０８の先端部には係止舌片１０９が嵌め込まれてナットで固定してある。また、係止舌片１０９の後端部上面には着色表示部１０９ａが設けられ、蓋体１０２のシリンダー錠１０４が取付けられた部分よりも若干内方寄りの位置には表裏を貫通する孔である施錠表示窓１０２ａを形成してある。
一方、コンテナー本体１０１の開口部の内側上縁部には断面Ｌ字状の係止片１１０が取付けられ、施錠状態で前記係止舌片１０９の前端部が係止片１１０の下側へ係入するように設けてある。
【０００４】
そして、図１０に示されるように、蓋体１０２をコンテナー本体１０１に被せた状態で円形キーをキー孔１０５ａに差し込んでシャフト１０６を所定の角度だけ回転操作すると、シャフト１０６と一体に回転した係止舌片１０９が係止片１１０の下側に進入した位置で施錠状態となり、キーを逆方向へ回転操作し、係止舌片１０９が係止片１１０の下側から外れた領域に移動することにより解錠状態となってコンテナー本体１０１に被せた蓋体１０２を開けることができるように設けてある。
また、施錠状態で蓋体１０２に形成された施錠表示窓１０２ａの下側に係止舌片１０９の着色表示部１０９ａが位置し、外側から施錠表示窓１０２ａの色を見ることでコンテナー１００が施錠されているか否かを確認することができるように設けてある（例えば特許文献１参照）。
【先行技術文献】
【特許文献】
【０００５】
【特許文献１】特開平８−７２９２３号公報
【考案の開示】
【考案が解決しようとする課題】
【０００６】
図示した従来のコンテナー１００は、施錠表示窓１０２ａを通して係止舌片１０９の着色表示部１０９ａを確認することでシリンダー錠１０４が施錠されているか否かが判るため、施錠されているにも関わらず蓋体１０２を勢いよく引き上げて係止舌片１０９と係止片１１０の係合部位を破損させるような虞がなく、また、施錠のし忘れも防ぐことが可能である。
【０００７】
然し乍ら、コンテナー１００を車両に積み降ろす際にコンテナー１００が傾いたり輸送中に衝撃を受けたりしてコンテナー１００内で収納物品が移動したときに、シリンダー錠１０４の蓋体１０２の裏側へ突出した位置に設けられたシャフト軸部１０８の先端や係止舌片１０９に衝突して、錠前の動作不良や破損を生じさせることがあるという問題があった。
また、コンテナー１００の保管場所が屋内の場合に、施錠表示窓１０２ａからコンテナー１００の内部に雨水や塵埃が浸入し易く、これらが収納された物品に付着して品質を低下させることがあるという問題があった。
【０００８】
本考案は従来の技術が有するこのような問題点に鑑み、コンテナー内で物品が移動しても錠前動作の制限や破損が生じないようにシリンダー錠の施錠機構を堅牢に構成するとともに、施錠表示窓から雨滴や塵埃が入り込むことを確実に防止することができるように構成することを課題とする。
【課題を解決するための手段】
【０００９】
前記課題を解決するため本考案は、コンテナー本体の開口部に蓋体を被せた状態で蓋体に設けられたシリンダー錠のシャフトを回転操作し、シャフトの軸部に取付けられた係止舌片をコンテナー本体の開口縁部に設けられた係止片の下側へ位置させることにより施錠して、前記開口部を閉鎖する位置に蓋体を固定するシリンダー錠付きコンテナーにおいて、シリンダー錠の蓋体の裏面側へ突出した施錠機構の下側が、カバー体で覆われた構成を有することを特徴とする。
前記構成のコンテナーにおいて、施錠機構の下側に加え、係止舌片の可動領域を除いた施錠機構の周辺部がカバー体で囲われていることが好ましい。
【００１０】
また、係止舌片の上面に着色表示部が設けられ、施錠位置で前記着色表示部が面する蓋体の部分に施錠表示窓が設けられているとともに、この施錠表示窓が透明なカバー材で塞がれた構成を有することを特徴とする。
【００１１】
前記構成を備えたシリンダー錠付きコンテナーによれば、蓋体の裏面側へ突出したシリンダー錠の施錠機構の下側、さらにはその周囲がカバー体で囲われ、このカバー体がコンテナー取り扱い中に移動した物品が施錠機構に当たることを防護する機能を奏する。移動した物品はカバー体に衝突するだけで施錠機構に直にあたることはなく、物品の移動により錠前動作が制限されたり破損が生じたりするようなことはない。
また、施錠表示窓が透明なカバー材で塞ぐことで、雨滴や塵埃が施錠表示窓からコンテナー内部に浸入する虞はなく、カバー材が透明なので施錠表示窓の中を覗いたときの視認性を低下させることもない。
【考案の効果】
【００１２】
本考案によれば、蓋体の裏面側に設けられた施錠機構を囲うように設置されたカバー体が防護壁として機能し、収納物品の移動による錠前動作不良や破損の発生を効果的に防止して施錠機構を堅牢に構成することができるとともに、カバー材で施錠表示窓を閉鎖することで、施錠表示窓を通して雨滴や塵埃がコンテナー内部に入り込むことを確実に防止して、雨滴などの付着によって収納物品の品質が劣化することを防止することが可能である。
【図面の簡単な説明】
【００１３】
【図１】本考案の一実施形態のシリンダー錠取付け部分の要部拡大側断面図である。
【図２】図１の座板の外観図である。
【図３】図１の係止舌片の展開外観図である。
【図４】図１のカバー体の外観図である。
【図５】図１の施錠座とカバー材の（Ａ）は平面図、（Ｂ）は横断面図である。
【図６】図１のシリンダー錠の概略平面図である。
【図７】カバー体の他の形態の外観図である。
【図８】従来のシリンダー錠付きコンテナーの外観図である。
【図９】従来のシリンダー錠取付け部分の要部拡大側断面図である。
【図１０】図９のシリンダー錠の概略平面図である。
【考案を実施するための形態】
【００１４】
本考案の好適な実施の形態を、図面を参照して説明する。なお、以下の実施形態のコンテナーは、前記図８に示された従来例と同形態のコンテナー本体と蓋体からなる構造のものである。
【００１５】
図１は本考案の一実施形態のシリンダー錠付コンテナーにおける、シリンダー錠取り付け部分の要部側断面を示しており、図中、符号１はコンテナー、２はコンテナー本体、３は蓋体、４はシリンダー錠である。蓋体３には、施錠位置で後述する係止舌片の着色表示部が面する部分に、施錠状態を確認するための施錠表示窓３ａが形成してある。
【００１６】
シリンダー錠４は、前記図９及び図１０に示された従来のものと同様に、シリンダー５、シャフト６、シャフト軸部７、座板８及び係止舌片９の各部材を備えた構造のものであり、これら蓋体３の裏面から下方へ突出した施錠機構の下側及び周辺を蓋体３の裏面に固着したカバー体１０で囲って構成してある。また、コンテナー本体２の開口部の内側上縁部には、施錠位置で後述する係止舌片８が係合する係止片１１を取付けてある。また、蓋体３に形成された施錠表示窓３ａは、その裏面側を後述するカバー材１２で塞いである。
【００１７】
詳しくは、シリンダー５はその頂部にキー孔５ａを有し、内部に施錠孔５ａとともに回転するシャフト６を下向きに突設させてなり、蓋体３の裏面側に突出した外周面に施錠座１２及び座板８を嵌め込み、ナット１４を螺合して蓋体３に一体に取付けられているとともに、シャフト６の下端に設けられたシャフト軸部７の先端部に係止舌片９を嵌め込み、ナット１４でシャフト軸部７に一体に固定してある。
【００１８】
座板８は、図２に示されるように、蓋体３への取付け面８ａの略中央にシリンダー５を貫通させる大きさの透孔８ｂを有し、取付け面８ａの前端に前受け部８ｃを側面視略コ字状に下向きに折り返して形成し、後端には係止舌片９の端部が重合可能な間隔分だけ下方に位置をずらして折曲形成してなる適宜大きさのストッパー部８ｄを水平状に、且つ先端部を若干下向きに傾斜させて張出形成してある。
【００１９】
係止舌片９は、図３に示されるように、シャフト軸部７への取付け面９ａの前後端にそれぞれ下方及び上方に高さを異ならせ、適宜な長さ水平に延設した係止部９ｂ及び後受け部９ｃを設けて側面視階段状に形成されていて、取付け面９ａの略中央にシャフト軸部７を貫通させる大きさの透孔９ｄを設け、後受け部９ｃの裏面には、上面に例えば赤色などの目に付きやすい色で着色してなる着色表示部９ｆを形成した表示板９ｅを留めネジ１５で一体に取付けてある。表示板９ｅは後受け部９ｃに一体に設けてもよい
【００２０】
カバー体１０は、図４に示されるように、前記蓋体３の裏面側へ突出した施錠機構の下側を覆い隠す大きさを有する平面視矩形状の底面板１０ａの周側辺の内、両短手辺に側面板１０ｂ，１０ｂ、一方の長手辺に側面板１０ｃをそれぞれ略垂直に立ち上げるとともに、側面板１０ｂ，１０ｂの上端に外方へ折れた折返し面１０ｄを設け、且つ折返し面１０ｄ内に一対の通孔１０ｅを設けた形状に形成してある。
カバー体１０は、蓋体３の裏面側に突出した前記施錠機構の下側に底面板１０ａを配置するとともに折返し面１０ｄ，１０ｄを蓋体３の裏面に接合し、各通孔１０ｅからビス（図示せず）を打ち込んで、前記施錠機構の下側が底面板１０ａで、シリンダー錠４の施錠操作に伴う係止舌片９の可動領域を除いた周囲三辺が側面板１０ｂ，１０ｂと側面板１０ｃでそれぞれ囲われるようにして、蓋体３の裏面に取付けてある。
【００２１】
施錠座１２は、蓋体３の裏面側の施錠表示窓３ａが形成された部分に設置されるカバー材１３の厚みを調整するための部材であり、図１２に示されるように、矩形状のアルミ板の面内にシリンダー５を貫通させる大きさの透孔１２ａを設けて形成してある。
また、カバー材１３は、アクリル板などからなる透明な板材であり、施錠表示窓３ａが形成された部分の蓋体３の裏面に接着固定してある。カバー材１３は、施錠表示窓３ａに面する座板８の取付面８ａに接着固定して、カバー材１３で施錠表示窓３ａが塞がれるようにしてもよい。
【００２２】
本形態のコンテナー１は、コンテナー本体２に蓋体３を被せた状態で、シリンダー５のキー孔５ａに円形キーを挿入してシャフト６を略９０°回転操作すると、図６に示されるように、シリンダー軸部７に固定された係止舌片９も一体に回転し、係止舌片９の表示板９ｅが座板８のストッパー部８ｄで受止された位置で、係止舌片９の係止部９ｂが係止片１１の下側に配置さて施錠状態となり（図１参照）、円形キーを引き抜くことにより蓋体３はコンテナー本体１の上端に固定されてコンテナー１の開口部を閉鎖する。
解錠するときはキー孔５ａに挿入した円形キーを前記とは逆方向に回転して係止舌片９の係止部９ｂを係止片１１の下方領域より退避させ（図６中の破線参照）、円形キーを引き抜くことにより蓋体３を開けてコンテナー本体２の開口部を開口することができる。
【００２３】
また、本形態のコンテナー１によれば、蓋体３の裏面側へ突出したシリンダー錠４の施錠機構の下側と、係止舌片９の可動領域を除いた周辺部がカバー体１０で囲われているので、コンテナー１の取り扱い中に収納物品が移動したとしてもカバー体１０に衝突するだけで施錠機構に直に当たるようなことはない。防護壁として機能するカバー体１０の設置より、物品の移動によって錠前動作が制限されたり破損したりするなどの不具合の発生を効果的に防止することができる。
【００２４】
さらに、施錠状態において、係止舌片９の着色表示部９ｆが施錠表示窓３ａの直下に配置され、外部から施錠表示窓３ａを通して着色表示部９ｆを視認することで施錠がされているか否かを確認することができるが、この施錠表示窓３ａが透明なカバー材１３により塞がれているので、雨滴や塵埃が施錠表示窓３ａからコンテナー１の内部に浸入する虞はなく、雨滴などの付着によって収納物品の品質が劣化することはなく、また、カバー材１３が透明なので施錠表示窓３ａの中を覗いたときの視認性を低下させることもない。
【００２５】
なお、図４に示されたカバー体１０に代えて、図７に示された施錠機構の下側のみを塞ぐ形態のカバー体１０を用いてもよい。
図示した形態は一例であり、本考案のシリンダー錠付きコンテナーはこれに限定されない。また、他の適宜な形態のコンテナー、或いは蓋付きの容器や開閉装置などにも適用可能である。
【符号の説明】
【００２６】
１  コンテナー、２  コンテナー本体、３  蓋体、４  シリンダー錠、５  シリンダー、６  シャフト、７  シリンダー軸部、８  座板、９  係止舌片、１０  カバー体、１１  係止片、１２  施錠座、１３  カバー材
【図１】
0003202135.tif 000003
【図２】
0003202135.tif 000004
【図３】
0003202135.tif 000005
【図４】
0003202135.tif 000006
【図５】
0003202135.tif 000007
【図６】
0003202135.tif 000008
【図７】
0003202135.tif 000009
【図８】
0003202135.tif 000010
【図９】
0003202135.tif 000011
【図１０】
0003202135.tif 000012